(57)【要約】      （修正有）【課題】把持部が本当の食品のような暖かみを有し、かつ、少量生産であってもコスト面での不利を軽減することのできる筆記具を提供する。【解決手段】筆記具１は、把持部３と筆記用芯体５とを備える。使用者の手で把持される把持部３は、焼成されたパン生地によって構成されている。筆記用芯体５は、把持部３に挿入され、把持部３の表面からペン先５Ａが露出している。【選択図】図１
0003211119.tif 000002
【実用新案登録請求の範囲】
【請求項１】
焼成されたパン生地によって構成され、使用者の手で把持される把持部（３）と、
前記把持部に挿入され、前記把持部の表面からペン先（５Ａ）が露出した筆記用芯体（５）と、
を備えた筆記具。
【請求項２】
請求項１に記載の筆記具であって、
前記把持部は長尺状に構成され、
前記筆記用芯体は、前記把持部の長尺方向一端から前記ペン先を露出させた筆記具。
【請求項３】
請求項１又は２に記載の筆記具であって、
前記把持部の表面には、ニス又は防腐剤が塗布された筆記具。
【請求項４】
請求項１〜３のいずれか１項に記載の筆記具であって、
前記パン生地には切り込み又は凹部（３Ａ）が表面に形成された筆記具。
【請求項５】
請求項１〜４のいずれか１項に記載の筆記具であって、
前記ペン先を覆うキャップ（９）を、
更に備えた筆記具。
【考案の詳細な説明】
【技術分野】
【０００１】
本開示は、筆記具に関する。
【背景技術】
【０００２】
ボールペン等の筆記具では、使用者の手で把持される把持部の構成に、種々の工夫がなされている。例えば、特許文献１には、特定の企業イメージを生むのに役立つ形状として、把持部の形状を、ハンバーガーや当該企業のロゴ入りのビスケットと同様の形状に成形することが提案されている。
【先行技術文献】
【特許文献】
【０００３】
【特許文献１】特表２００３−５１３８２７号公報
【考案の概要】
【考案が解決しようとする課題】
【０００４】
しかしながら、特許文献１に記載の技術では、ハンバーガーやビスケット等の所望の形状となるように把持部をポリマーで成形している。このため、把持部の質感は実際のハンバーガーやビスケット等とは異なり、本当の食品のような暖かみがないという問題があった。また、ポリマーで把持部を成形する場合、成形用の型を作成する必要があるため、少量生産の場合にはコスト面で不利であるという問題もあった。本開示の一局面は、把持部が本当の食品のような暖かみを有し、かつ、少量生産であってもコスト面での不利を軽減することのできる筆記具の提供を目的とする。
【課題を解決するための手段】
【０００５】
本開示の筆記具（１）は、焼成されたパン生地によって構成され、使用者の手で把持される把持部（３）と、前記把持部に挿入され、前記把持部の表面からペン先（５Ａ）が露出した筆記用芯体（５）と、を備える。
【０００６】
このような構成によれば、把持部は、焼成されたパン生地によって構成されているので、実際の食品（すなわち、パン）のような暖かみを有する。また、パン生地は、型を用いなくても手作業で自由な形状に成形できる。このため、少量生産であってもコスト面での不利を軽減することができる。
【０００７】
なお、この欄及び実用新案登録請求の範囲に記載した括弧内の符号は、一つの態様として後述する実施形態に記載の具体的手段との対応関係を示すものであって、本開示の技術的範囲を限定するものではない。
【図面の簡単な説明】
【０００８】
【図１】第１実施形態の筆記具の構成を表す図で、（Ａ）は平面図、（Ｂ）は正面図、（Ｃ）は背面図、（Ｄ）は右側面図、（Ｅ）は左側面図、（Ｆ）は下面図である。
【図２】前記筆記具における筆記用芯体の把持部への挿入状態を表す説明図である。
【図３】第２実施形態の筆記具の要部を表す下面図である。
【考案を実施するための形態】
【０００９】
以下、図面を参照しながら、本開示の実施形態を説明する。
［１．第１実施形態］
［１−１．構成］
本実施形態の筆記具１は、図１に示すように、把持部３と筆記用芯体５とを備える。把持部３は、いわゆる飾りパンのパン生地を用いて、フランスパンのバケットの形状に焼成されている。すなわち、把持部３は、卵や油脂を使わず、小麦粉及び水及びイーストをゆっくりオーブンで水分を飛ばしながら焼成する周知の飾りパンの製造方法で焼成されている。
【００１０】
なお、必ずしもイースト発酵は必要ではなく、把持部３の硬度を向上させるためにイーストは省略されてもよい。また、小麦粉及び水に加えて、色を付けるためのパウダー（すなわち、発色剤）が使用されてもよい。また、焼成前に、長尺状のバケット形状に生地を成形した上で、表面にクープと呼ばれる切り込みを所定間隔で形成しておいてもよい。その場合、図１に示すように、把持部３の表面には所定間隔で凹部３Ａが形成される。更に、焼成後の把持部３の表面には、ニス又は防腐剤が塗布されてもよい。
【００１１】
筆記用芯体５は、一般的なボールペンの替え芯であってもよく、特別に製造された芯体であってもよい。図２に示すように、筆記用芯体５は、ペン先５Ａにボール７を有し、把持部３に挿入されてペン先５Ａを把持部３の表面から露出させている。より詳細には、筆記用芯体５は、バケット形状の長尺状に構成された把持部３の、長手方向一端の中心から、当該長手方向に沿って把持部３内に挿入されている。把持部３の焼成時には、この筆記用芯体５を挿入する箇所に竹串等を挿入しておき、焼成後に当該竹串等を抜いて筆記用芯体５と差し替える。
【００１２】
把持部３は、筆記用芯体５による筆記時に当該筆記用芯体５を保持できる程度の堅さに構成され、焼成後に筆記用芯体５を押し込むことも困難な程度の堅さが得られるように材料が調整されている。そこで、本実施形態では、前述のように、焼成前に予め把持部３に挿入しておいた竹串等と筆記用芯体５とを差し替えるのである。なお、差し替えに当たって、筆記用芯体５の外周に、パン生地からなる把持部３との接着性を有する接着剤等が塗布されてもよい。
【００１３】
また、図２に二点鎖線で示すように、筆記用芯体５にはペン先５Ａを覆うキャップ９を被せてもよい。図２の例では、キャップ９は、透明な中空のチューブ状に樹脂にて構成され、その内径は筆記用芯体５の外形よりも若干小さく構成されている。
【００１４】
［１−２．効果］
以上詳述した第１実施形態によれば、以下の効果を奏する。
（１Ａ）把持部３は、焼成されたパン生地によってバケット形状に構成されている。このため、ポリマー等によってバケット形状の把持部を成形した場合に比べて、把持部３は実際の食品（すなわち、パン）のような暖かみを有する。従って、本実施形態の筆記具１は、プレゼント等としても好適である。
【００１５】
（１Ｂ）パン生地は、型を用いなくても手作業で自由な形状に成形できる。このため、ポリマー等によって把持部を成形する場合に比べて、把持部３を製造する際に型を作成する必要がなく、少量生産であってもコスト面での不利を軽減することができる。
【００１６】
（１Ｃ）また、把持部３は長尺状に構成され、筆記用芯体５は、前記把持部の長尺方向一端からペン先５Ａを露出させている。このため、筆記具１は、一般のボールペン等と同様の握り方で使用者が握ることができ、当該使用者は一般のボールペン等と同様に筆記を行うことができる。
【００１７】
（１Ｄ）また、前述のように、把持部３の表面にニス又は防腐剤が塗布された場合、把持部３の変形や腐敗を一層良好に抑制することができ、筆記具１の耐久性を向上させることができる。
【００１８】
（１Ｅ）把持部３を構成するパン生地には、クープと呼ばれる切り込みを形成して焼成することにより、凹部３Ａが把持部３の表面に形成されている。このため、実際のバケットにより近い暖かみのある形状を呈しつつ、筆記時に滑り止めとしても凹部３Ａが機能する。
【００１９】
（１Ｆ）ペン先５Ａが使用者の意に反して何らかの物品に触れると当該物品を汚損してしまうが、筆記用芯体５のペン先５Ａをキャップ９で覆った場合、そのような事態の発生を抑制することができる。
【００２０】
（１Ｇ）また、把持部３は前述のように実際の食品のような暖かみを有するので、文具としてだけではなく、飾り、置物、インテリアとして使用することも可能である。
［２．第２実施形態］
［２−１．第１実施形態との相違点］
第２実施形態は、基本的な構成は第１実施形態と同様であるため、相違点について以下に説明する。なお、第１実施形態と同じ符号は、同一の構成を示すものであって、先行する説明を参照する。
【００２１】
前述した第１実施形態の筆記具１では、把持部３を、団子状に丸めたパン生地を用いて焼成した。これに対し、第２実施形態の筆記具１１では、図３に示すように、長手方向を軸にしてロール状に巻いたパン生地を用いて、把持部１３を焼成した点で、第１実施形態と相違する。その場合、把持部１３の一端１３Ｂ、すなわち、筆記用芯体５のペン先５Ａが露出する側の端部は、筆記用芯体５の周囲で大きく開口することがある。そこで、筆記具１１では、一端１３Ｂの開口部と筆記用芯体５との間に、充填剤２０を充填している。この充填剤２０は、例えば、木工用の接着剤であってもよく、粘性の大きいニスであってもよく、その他の充填剤であってもよい。
【００２２】
［２−２．効果］
以上詳述した第２実施形態によれば、前述した第１実施形態の効果（１Ａ）〜（１Ｇ）を奏し、さらに、以下の効果を奏する。
【００２３】
（２Ａ）本実施形態では、筆記用芯体５の周囲の開口部に充填剤２０を充填したことにより、把持部１３として利用可能な形状のバリエーションを増やすことができる。
（２Ｂ）また、本実施形態では、把持部１３の一端１３Ｂの、中心から凹部とは反対側に少し外れた位置にペン先５Ａが露出する。このため、凹部に親指又は人差し指を掛けて把持部１３が把持されるときには、筆記がなされる紙面等とペン先５Ａとの距離が近づいて書きやすくなることがある。
【００２４】
［３．他の実施形態］
以上、本開示の実施形態について説明したが、本開示は上述の実施形態に限定されることなく、種々変形して実施することができる。
【００２５】
（３Ａ）前記実施形態では、把持部３の長手方向一端心からペン先５Ａを露出させたが、これに限定されるものではない。ペン先５は、把持部３の長手方向中央側面等、任意の位置に露出させることができる。
【００２６】
（３Ｂ）前記実施形態では、筆記用芯体５としてボールペンの芯体を利用したが、これに限定されるものではない。例えば、筆記用芯体５は、サインペンの芯体であってもよく、筆ペンの芯体であってもよく、シャープペンシルの芯体であってもよい。
【００２７】
（３Ｃ）前記実施形態では、中空のチューブ状のキャップ９をペン先５Ａに被せたが、これに限定されるものではない。キャップ９の先端（すなわち、把持部３とは反対側の端部）は、閉じられていてもよい。その場合、ボール７の表面に付着したインクが乾燥するのを抑制することができる。
【００２８】
（３Ｄ）前記実施形態では、把持部３及び１３をバケット形状としたが、これに限定されるものではない。例えば、把持部は、メロンパンの形状に成形されてもよく、クロワッサンの形状に成形されてもよく、その他のパンの形状に成形されてもよい。更に、把持部は必ずしもパンの形状に成形される必要はなく、飾りパンが動物の形状やウェルカムボードの形状に成形される場合があるように、把持部も種々の形状に成形されてもよい。
【００２９】
（３Ｅ）上述した筆記具の他、当該筆記具を構成要素とするシステム、筆記具の製造方法など、種々の形態で本開示を実現することもできる。
【符号の説明】
【００３０】
１，１１…筆記具        ３，１３…把持部            ３Ａ…凹部
５…筆記用芯体          ５Ａ…ペン先                ９…キャップ
２０…充填剤
【図１】
0003211119.tif 000003
【図２】
0003211119.tif 000004
【図３】
0003211119.tif 000005